(57)【要約】【課題】容易にピックアップを清掃することのできる光ディスクドライブ装置を提供すること。【解決手段】光ディスク２に近接し且つ光ディスク２の径方向に対して略垂直に設置されるピックアップ５と、ピックアップ５を光ディスク２の径方向に移動させるピックアップ移動装置６とを備える光ディスクドライブ装置１において、ピックアップ移動装置６が、ピックアップ５を光ディスク２の領域外まで移動することで、光ディスク２の領域外且つピックアップ移動装置６によるピックアップ５の移動範囲内に、現状の機構の大幅な変更無しにピックアップクリーナー７を設置することができる。また、光ディスクドライブ装置１内にピックアップクリーナー７を設けたことにより、ピックアップ５が光ディスク２から記録を読み取れない場合、容易にピックアップ５を清掃することができる。【選択図】　　　　図１
2004021998.tif 000002
【特許請求の範囲】
【請求項１】
光ディスクに近接し且つ前記光ディスクの径方向に対して略垂直に設置されるピックアップと、前記ピックアップを前記光ディスクの前記径方向に移動させるピックアップ移動装置とを備える光ディスクドライブ装置において、
前記ピックアップ移動装置は、前記ピックアップを前記光ディスクの領域外まで移動するものであり、前記光ディスクの領域外且つ前記ピックアップ移動装置による前記ピックアップの移動範囲内に、前記ピックアップを清掃するピックアップクリーナーを設けたことを特徴とする光ディスクドライブ装置。
【請求項２】
前記ピックアップが移動しつつ前記ピックアップクリーナーに摺動することにより、前記ピックアップが清掃されることを特徴とする請求項１に記載の光ディスクドライブ装置。
【請求項３】
前記ピックアップクリーナーが可動しつつ前記ピックアップに摺動することにより、前記ピックアップが清掃されることを特徴とする請求項１又は請求項２に記載の光ディスクドライブ装置。
【請求項４】
前記ピックアップクリーナーから吐出されるエアにより、前記ピックアップが清掃されることを特徴とする請求項１に記載の光ディスクドライブ装置。
【請求項５】
前記ピックアップが前記光ディスクの記録内容を読み取れない際に、前記ピックアップが前記ピックアップクリーナーまで自動的に移動し清掃されることを特徴とする請求項１〜４いずれか１項に記載の光ディスクドライブ装置。
【請求項６】
前記ピックアップが前記光ディスクの記録内容を読み取れない際に、外部からの信号にて前記ピックアップが前記ピックアップクリーナーまで移動し清掃されることを特徴とする請求項１〜４いずれか１項に記載の光ディスクドライブ装置。
【発明の詳細な説明】
【０００１】
【発明の属する技術分野】
本発明は、光ディスクドライブ装置に関し、特に、ピックアップのクリーニングに関するものである。
【０００２】
【従来の技術】
光ディスクや光磁気ディスク等の記録媒体に記録された情報を読み取るディスクドライブ装置（以下、光ディスクドライブ装置という）は、ディスク上のピットとランドといわれる凹凸で記録された情報を、ピックアップ等の再生装置により検出する。ピックアップは半導体レーザ等の光源からの光を、光学レンズを通して光ディスク等の記録面に焦点を合わせ、ランドとピットを透過する反射光の違いを光学レンズを介して、フォトディテクタにより検出する。
【０００３】
従って、ピックアップの光学レンズに埃が付着すると、光ディスクとのフォーカスがずれることにより、正確な検出をすることができなくなる。それ故、埃を除去するために、これまでにディスク本体にブラシを設置し、光ディスクドライブ装置内に挿入してローディングが完了した後、ピックアップを移動させて光学レンズのクリーニングを行うものや、クリーニングディスクの回転により光学レンズをクリーニングするもの等が提案されている。
【０００４】
【発明が解決しようとする課題】
しかしながら、これら従来の方法では、不具合がある都度クリーニングディスクをディスクドライブ装置内に挿入する必要があるため、専用のクリーニングディスクを常に携帯する煩わしさがあり、また、ともすればクリーニングディスクの挿入時に埃等が混入する恐れがあった。
【０００５】
本発明は上記問題点に鑑み、ディスクを差し替えることなく容易にピックアップを清掃することのできる光ディスクドライブ装置を提供することを目的とする。
【０００６】
【課題を解決するための手段】
上記目的を達成する為に、請求項１に記載の光ディスクドライブ装置は、光ディスクに近接し且つ光ディスクの径方向に対して略垂直に設置されるピックアップと、ピックアップを光ディスクの径方向に移動させるピックアップ移動装置とを備えている。そして、ピックアップ移動装置はピックアップを光ディスクの領域外まで移動させ、光ディスクの領域外且つピックアップ移動装置によるピックアップの移動範囲内に、ピックアップを清掃するピックアップクリーナーを設けたことを特徴とする。
【０００７】
このように、光ディスクドライブ装置内に、ピックアップを清掃するためのピックアップクリーナーを設けることで、ピックアップが光ディスクから記録を読み取れない場合にも、クリーニングディスク等を挿入する必要は無く、従って余分な埃等が混入する危険も回避できる。また、常に不具合に備えてクリーニングディスクを携帯しておく不便さも回避できる。
【０００８】
さらに、ピックアップ移動装置によるピックアップの移動範囲を光ディスクの領域外まで延長し、ピックアップクリーナーを光ディスクの領域外かつピックアップの移動範囲内に設けることで、現状の光ディスクドライブ装置の機構自体を大幅に変更することなく、ピックアップを清掃するピックアップクリーナーを光ディスクドライブ装置内に設けることができる。
【０００９】
またピックアップの清掃は、請求項２に記載のように、ピックアップが移動しつつピックアップクリーナーに摺動することにより行われるか、請求項３に記載のように、ピックアップクリーナーが可動しつつピックアップに摺動することにより行われるか、或いは請求項４に記載のように、ピックアップクリーナーから吐出されるエアにより、ピックアップが清掃されることが好ましい。いずれの手法においても、ピックアップが光ディスクからの記録内容を読み取れなくなると、ピックアップはピックアップ移動装置によりピックアップクリーナーの設置箇所まで移動され、上述のいずれかの手法により清掃される。このようにして、ピックアップに付着した埃等は、ピックアップクリーナーにより清掃除去され、その結果、ピックアップは光ディスクからの記録の読み取りを再開することが可能となる。
【００１０】
また、請求項５及び請求項６に記載したように、ピックアップが光ディスクの記録内容を読み取れない場合、ピックアップがピックアップクリーナーまで自動的に移動し清掃されても良いし、或いは外部からの信号にてピックアップがピックアップクリーナーまで移動し清掃されても良い。
【００１１】
【発明の実施の形態】
以下、本発明の実施の形態を図に基づいて説明する。
（第１の実施の形態）
図１は、本実施の形態における光ディスクドライブ装置の構造を示す内部平面図であり，図２は図１のＡ−Ａ断面における断面図である。
【００１２】
この光ディスクドライブ装置１は、光ディスク２を回転させるためのスピンドルモータ３と、光学レンズ部４等により構成され光ディスク２の記録内容を読み取るピックアップ５と、ピックアップ５を光ディスクの２の径方向に移動させるためのピックアップ移動装置６と、ピックアップ５を清掃するためのピックアップクリーナー７と、図示されない信号処理・制御回路とにより構成される。
【００１３】
ここで、光ディスクドライブ装置１における通常再生動作の概略を説明する。先ず、光ディスクドライブ装置１は、ディスクトレイ８に光ディスク２が置かれて図示されない投入スイッチが操作されると、図示されないローダ機構により、光ディスク２を載せたディスクトレイ８を光ディスクドライブ装置１内部に引き込む。そして、引き込まれた光ディスク２はスピンドルモータ３に装着される。
【００１４】
次に、光ディスク２の装着が完了すると、スピンドルモータ３により回転される光ディスク２の記録面に、ピックアップ５の光学レンズ部４を介してレーザービームが照射される。そして、光ディスク２からの反射光は、ピックアップ５の光学レンズ部４を介して図示しないフォトディテクタにより検出信号として検出される。尚、ピックアップ５は、光ディスク２の記録面に対して略垂直に設置されている。
【００１５】
ピックアップ５は、主としてスレッドモータ９、送りシャフト１０及びガイドシャフト１１からなるピックアップ移動装置６により、光ディスク２の回転に同期して光ディスク２の径方向に沿って且つ外周に向かって順次移動され、この移動に伴ってレーザービームによる照射位置を順次光ディスク２の外周方向に変位させる。
【００１６】
また、送りシャフト１０とガイドシャフト１１は、ピックアップ５を移動可能に支持しており、ピックアップ５は両シャフト１０，１１にガイドされてスピンドルモータ３に対し接近及び離反可能とされている。送りシャフト１０は、スレッドモータ９の回転軸とされていて、外周面に螺旋状のネジ溝が形成されている。ピックアップ５にも、送りシャフト１０のネジ溝と係合するネジ溝が切られた貫通孔が設けられている。さらにピックアップ５は、ガイドシャフト１１が挿通される貫通孔も設けられている。従って、スレッドモータ９によって送りシャフト１０が回転されると、ピックアップ５はガイドシャフト１１に支持されているため、その回転力がピックアップ５の推進力に変換される。これにより、ピックアップ５は、送りシャフト１０，ガイドシャフト１１に支持されつつ、光ディスク２の径方向に移動することができる。尚、ピックアップ５における光学レンズ部４は、上下方向（フォーカス方向）と径方向（トラッキング方向）に独立に移動可能である。
【００１７】
ここで、ピックアップ移動装置６は、ピックアップ５を光ディスク２の記録内容の読み取りのために移動させるものである。従って、送りシャフト１０とガイドシャフト１１の長さは、通常ピックアップ５がレーザービームを光ディスク２の記録面全域に照射可能であり、且つ反射光を検出可能である長さに設定されている。しかしながら、本実施の形態においては、図１，２に示すように、ピックアップ５が光ディスク２の領域外まで移動可能なように、送りシャフト１０，ガイドシャフト１１の長さを通常よりも長く設定している。これは、本発明の主旨であるピックアップ５、特に光学レンズ部４の清掃を行うために、ピックアップクリーナー７を光ディスクドライブ装置１内に新たに設けたためである。
【００１８】
ピックアップクリーナー７は、延長されたピックアップ５の移動範囲内で、且つ光ディスク２の領域外の任意の箇所に設けられる。尚、ピックアップクリーナー７の設置箇所やそれ自体の大きさは、任意であるが、光ディスクドライブ装置１の大きさや他部品との配置を考慮して設定されることが好ましい。
【００１９】
次に、ピックアップ５のクリーニング制御に関する制御フローを図３のフローチャートに示す。先ず光ディスク２の検出面とピックアップ５の光学レンズ部４との間で、フォーカス合わせを実施（ステップ２０）し、その結果をステップ２１にて判断する。ステップ２１にてフォーカスが合っていると判断されると、次の測定ポイントにおいてステップ２０，２１が繰り返される。しかしながら、ステップ２１にてフォーカスが合っていないと判断されると、ステップ２２に進み、フォーカス合わせがＮ回以上連続で実施されたかについて判断される。これは、振動等の外部要因による誤差が考えられるためであり、この場合Ｎは、任意で設定される正数である。ここで、Ｎ回以上実施していない場合は、上記外部要因によるフォーカスのずれの可能性があるため、ステップ２０に戻されるが、Ｎ回以上実施していた場合、実際に埃等がピックアップ５の光学レンズ部４表面に付着している可能性が高いため、ピックアップ５の清掃作業に移る。
【００２０】
図４に示すように、ステップ２２での信号を受けて、ピックアップ５はピックアップクリーナー７の設置位置まで自動で移動（ステップ２３）され、清掃作業を実施（ステップ２４）後、ピックアップ５を元の箇所に戻し（ステップ２５）て、ピックアップ５の所定の動作（読み取り）に戻る。ここで図４は、図２においてピックアップ５がピックアップクリーナー７の設置位置へ移動した後の図を示す。尚、ピックアップ５の清掃後、ピックアップ５は元の箇所ではなく、光ディスク２に記録された内容の読み取りスタートポイントまで戻っても良い。
【００２１】
次に、ピックアップ５の清掃作業の方法を示す。清掃方法としては、光ディスクドライブ装置１内に固定された（本例では図２，４に上部から支持された例を示すがこの限りではない）ピックアップクリーナー７に、ステップ２３の移動信号により移動させられたピックアップ５の、少なくともレンズ部４が摺動することにより清掃されるか、ピックアップクリーナー７が例えば円運動や直線的に可動をし、ピックアップ５の少なくともレンズ部４を摺動することにより清掃されることが好ましい。
【００２２】
このように、いずれの場合においても、ピックアップ５の少なくともレンズ部４とピックアップクリーナー７とが接し、いずれかの動作若しくは両方の動作による摺動により、ピックアップ５の特にレンズ部４に付着した埃等が清掃除去されることとなる。
【００２３】
また、上述した方法とは別で、ピックアップクリーナー７から清掃用のエアが吐出されることにより、ピックアップ５とピックアップクリーナー７とが直接接触することなく、ピックアップ５の清掃がなされてもよい。ピックアップ５のレンズ部４は非常にデリケートであるため、非接触方式を用いることで、レンズ部４とピックアップクリーナー７の接触による破損や光軸のズレ等の危険を回避することができる。
【００２４】
以上のように、光ディスクドライブ装置１の内部にピックアップクリーナー７を設けることで、光ディスク２の記録内容読み取り動作が不可となった場合、容易にピックアップ５、特にレンズ部４を清掃することができるため、すぐに光ディスク２の記録内容読み取り動作を再開させることができる。
【００２５】
更に、ピックアップクリーナー７をピックアップ移動装置６の移動延長線上に設けたことで、従来の光ディスクドライブ装置１の機構を大幅に変更することなく、ピックアップ５を清掃する機構を光ディスクドライブ装置１内に追加することができる。
【００２６】
尚本例において、ピックアップ５のピックアップクリーナー７への移動及びピックアップクリーナー７から元の箇所への移動は、自動で行われる例を示したが、光ディスクドライブ装置の外観部において、ランプ等によってピックアップ５の検出不可状態を示すことにより、人の判断にて手動で清掃開始指令を出すようにしても良い。
【００２７】
また、本例では、ピックアップ５が光ディスク２の記録内容を読み取れなくなった場合、ピックアップ５の清掃動作に入る例を示したが、記録内容の読み取りの可否に関わらず、ある周期をもって、ピックアップ５をピックアップクリーナー７により清掃しても良い。この場合の周期は、任意に設定されるが、ピックアップ５の通常動作（光ディスク２からの記録内容読み出し）中に、突然清掃動作に入ると好ましくないため、その場合は、光ディスク２の光ディスクドライブ装置１挿入直後、若しくは光ディスク２の記録内容の読み取り終了信号が入った直後まで清掃開始タイミングをずらして実施されると良い。
【００２８】
更には、本例においては、スレッドモータ９とシャフト１０，１１を用いたピックアップ移動装置６を示したが、本発明はこれに限定されるものではなく、例えばＨＤＤ（ハードディスクドライブ）等に用いられるアーム式のピックアップ移動装置にも用いることができる。
【図面の簡単な説明】
【図１】本発明における第１の実施形態の光ディスクドライブ装置の内部平面図である。
【図２】図１のＡ−Ａ断面における断面図である。
【図３】ピックアップのクリーニング制御に関する制御フローである。
【図４】図２において、ピックアップが移動した状態を示す図である。
【符号の説明】
１・・・光ディスクドライブ装置、２・・・光ディスク、４・・・光学レンズ部、５・・・ピックアップ、６・・・ピックアップ移動装置、７・・・ピックアップクリーナー
【図１】
2004021998.tif 000003
【図２】
2004021998.tif 000004
【図３】
2004021998.tif 000005
【図４】
2004021998.tif 000006